(57)【要約】【課題】一つのプリンタドライバによって、使用者が必要とするモードの機能に対応して印刷データを処理することが可能な画像処理装置を提供する。【解決手段】本発明による画像処理装置は、印刷対象データを、自動設定モード、白黒機能モードまたはカラー機能モードのいずれかによって印刷可能な印刷イメージに処理する画像処理部１１０と；白黒機能モードまたはカラー機能モードのうちいずれか一つに対応するメニューが表示される表示部１２０と；印刷対象データの属性に応じて、白黒機能モードまたはカラー機能モードのうちのいずれか一つに対応するメニューを生成して表示部１２０に表示し、表示されたメニューに対応して印刷対象データを処理するように画像処理部１１０を制御する制御部１３０と；を備える。【選択図】図２
2008152753.tif 000002
【特許請求の範囲】
【請求項１】
印刷対象データを、自動設定モード、白黒機能モードまたはカラー機能モードのいずれかによって印刷可能な印刷イメージに処理する画像処理部と；
前記白黒機能モードまたは前記カラー機能モードのうちいずれか一つに対応するメニューが表示される表示部と；
前記印刷対象データの属性に応じて、前記白黒機能モードまたは前記カラー機能モードのうちのいずれか一つに対応するメニューを生成して前記表示部に表示し、表示されたメニューに対応して前記印刷対象データを処理するように前記画像処理部を制御する制御部と；
を備えることを特徴とする、画像処理装置。
【請求項２】
前記自動設定モード、前記白黒機能モードまたは前記カラー機能モードのうちのいずれか一つを選択するための使用者選択部をさらに備え；
前記制御部は、前記使用者選択部によって前記自動設定モードが選択された場合に、前記印刷対象データの属性に応じて前記白黒機能モードまたは前記カラー機能モードのうちのいずれか一つに対応するメニューを生成して前記表示部に表示し、表示されたメニューに対応して前記印刷対象データを処理するように前記画像処理部を制御することを特徴とする、請求項１に記載の画像処理装置。
【請求項３】
前記制御部は、前記使用者選択部によって前記白黒機能モードまたは前記カラー機能モードのうちのいずれか一つが選択された場合、選択されたモードに対応するメニューを生成し、表示されたメニューに対応して前記印刷対象データを処理するように前記画像処理部を制御することを特徴とする、請求項２に記載の画像処理装置。
【請求項４】
使用者の認証に用いられる認証情報が格納された記憶部をさらに備え；
前記制御部は、使用者によって入力された認証情報が前記記憶部に格納された前記認証情報と一致する場合、前記使用者によって選択された前記自動設定モード、前記白黒機能モードまたは前記カラー機能モードのうちのいずれか一つに対応して前記印刷対象データを処理するように前記画像処理部を制御することを特徴とする、請求項２または３のいずれかに記載の画像処理装置。
【請求項５】
印刷対象データを白黒機能モードまたはカラー機能モードのいずれかによって印刷可能な印刷イメージに処理する画像処理装置の制御方法において、
前記印刷対象データの属性が白黒機能モードまたはカラー機能モードのいずれであるかを確認する段階と；
前記印刷対象データの属性に対応するメニューを生成して表示する段階と；
前記表示されたメニューに対応して前記印刷対象データを処理する段階と；
を含むことを特徴とする、画像処理装置の制御方法。
【請求項６】
使用者によって選択された印刷モードが入力される段階と；
前記入力された印刷モードが自動設定モードである場合に、前記印刷対象データの属性を確認する段階と；
前記印刷対象データの属性に応じて、前記白黒機能モードまたは前記カラー機能モードのうちのいずれか一つに対応するメニューを生成して表示する段階と；
前記表示されたメニューに対応して前記印刷対象データを処理する段階と；
をさらに含むことを特徴とする、請求項５に記載の画像処理装置の制御方法。
【請求項７】
前記入力された印刷モードが前記白黒機能モードまたは前記カラー機能モードのうちのいずれか一つである場合に、前記選択されたモードに対応するメニューを生成して表示する段階と；
前記表示されたメニューに対応して前記印刷対象データを処理する段階と；
をさらに含むことを特徴とする、請求項６に記載の画像処理装置の制御方法。
【請求項８】
認証情報が入力される段階と；
前記入力された認証情報と、予め格納された認証情報とを比較する段階と；
前記入力された認証情報が予め格納された認証情報と一致する場合、前記入力された印刷モードに対応するメニューを生成して表示する段階と；
前記表示されたメニューに対応して前記印刷対象データを処理する段階と；
をさらに含むことを特徴とする、請求項６または７のいずれかに記載の画像処理装置の制御方法。
【発明の詳細な説明】
【技術分野】
【０００１】
本発明は画像処理装置及び画像処理装置の制御方法に係り、より詳しくは、カラー機能モード（プリンター、プリンタードライバ、状態モニター、プラグイン）および白黒機能モード（プリンター、プリンタードライバ、状態モニター、プラグイン）の印刷機能を提供する画像処理装置及び画像処理装置の制御方法に関する。
【背景技術】
【０００２】
コンピュータシステムのような画像処理装置は、プリンタや複合機のような画像形成装置のホストである。画像処理装置は、図面、テキストなどの印刷対象データに対して所定の画像処理を行って印刷データを生成し、これを画像形成装置に伝送し、プリンタ用紙等の印刷媒体に印刷データに対応する画像が形成されるようにする。
【０００３】
一般に、画像処理装置において提供されるユーザインタフェースを用いてプリンタドライバの機能を設定する場合、ウィンドウズ（登録商標）に搭載されたＧＤＩ（Ｇｒａｐｈｉｃｓ  Ｄｅｖｉｃｅ  Ｉｎｔｅｒｆａｃｅ）のように、プリンタドライバにグラフィカルオブジェクトを伝達するコンポーネントを呼び出す。呼び出されたコンポーネントは、印刷命令に相応するグラフィカルオブジェクトを作成する。
【０００４】
この時、プリンタドライバは、作成されたグラフィカルオブジェクトをビットマップ化することができるように命令語を生成する。プリンタドライバから生成された命令語に対応して、画像処理装置は、通信モジュールを通じてプリンター等の画像形成装置に印刷データを伝送する。ここで、画像形成装置のビデオコントローラはポートモニタから伝送された命令語に基づいてイメージが形成されるようにビットマップ化してエンジンコントローラーに伝達し、これを印刷する。
【０００５】
図１Ａ及び図１Ｂは、それぞれ、従来の画像処理装置の白黒機能モード及びカラー機能モードに対応するドライバのインタフェース画面を示している。図１Ａは白黒機能モードドライバに対応するユーザインタフェース画面である。白黒機能モードドライバは、印刷データをグレー（ｇｒａｙ）レベルに対するデータに変換する。図１Ｂは、カラー機能モードドライバに対応するユーザインタフェース画面である。カラー機能モードドライバは、印刷データをＲ（Ｒｅｄ）、Ｇ（Ｇｒｅｅｎ）、Ｂ（Ｂｌｕｅ）色信号に対するデータに変換する。
【０００６】
【特許文献１】大韓民国特許公開第２００６−００７５１４８号公報
【特許文献２】大韓民国特許公開第２００５−００７４８０８号公報
【特許文献３】特開２００３−２７１３６７号公報
【発明の開示】
【発明が解決しようとする課題】
【０００７】
このように、従来の技術は同一のモデルで同一のエミュレーション（Ｅｍｕｌａｔｉｏｎ）に対して白黒、カラープリンタドライバの両方を支援するためには、使用者が２種類のプリンタードライバを全てインストールしなければならない。これにより、インストールされるファイルのサイズが大きくなるという問題点が発生し、さらに、２種類のプリンタドライバの保守管理を行わなければならないため多くの費用が発生するという問題点がある。
【０００８】
また、互いに異なるプリンタドライバを用いることによって、使用者がプリンタドライバのユーザインターフェースにおいて生じるカラー、白黒機能の差異点によって混乱を招くという問題点がある。
【０００９】
そこで、本発明は、上記問題に鑑みてなされたものであり、本発明の目的とするところは、一つのプリンタドライバによって、使用者が必要とするモードの機能に対応して印刷データを処理することが可能な、新規かつ改良された画像処理装置及び画像処理装置の制御方法を提供することにある。
【課題を解決するための手段】
【００１０】
上記課題を解決するために、本発明のある観点によれば、印刷対象データを、自動設定モード、白黒機能モードまたはカラー機能モードのいずれかによって印刷可能な印刷イメージに処理する画像処理部と；白黒機能モードまたはカラー機能モードのうちいずれか一つに対応するメニューが表示される表示部と；印刷対象データの属性に応じて、白黒機能モードまたはカラー機能モードのうちのいずれか一つに対応するメニューを生成して表示部に表示し、表示されたメニューに対応して印刷対象データを処理するように画像処理部を制御する制御部と；を備える画像処理装置が提供される。
【００１１】
また、自動設定モード、白黒機能モードまたはカラー機能モードのうちのいずれか一つを選択するための使用者選択部をさらに備え；制御部は、使用者選択部によって自動設定モードが選択された場合に、印刷対象データの属性に応じて白黒機能モードまたはカラー機能モードのうちのいずれか一つに対応するメニューを生成して表示部に表示し、表示されたメニューに対応して印刷対象データを処理するように画像処理部を制御するようにしてもよい。
【００１２】
また、制御部は、使用者選択部によって白黒機能モードまたは前記カラー機能モードのうちのいずれか一つが選択された場合、選択されたモードに対応するメニューを生成し、表示されたメニューに対応して印刷対象データを処理するように画像処理部を制御するようにしてもよい。
【００１３】
使用者の認証に用いられる認証情報が格納された記憶部をさらに備え；制御部は、使用者によって入力された認証情報が記憶部に格納された認証情報と一致する場合、使用者によって選択された自動設定モード、白黒機能モードまたはカラー機能モードのうちのいずれか一つに対応して印刷対象データを処理するように画像処理部を制御するようにしてもよい。
【００１４】
また、上記課題を解決するために、本発明の別の観点によれば、印刷対象データを白黒機能モードまたはカラー機能モードのいずれかによって印刷可能な印刷イメージに処理する画像処理装置の制御方法において、印刷対象データの属性が白黒機能モードまたはカラー機能モードのいずれであるかを確認する段階と；印刷対象データの属性に対応するメニューを生成して表示する段階と；表示されたメニューに対応して印刷対象データを処理する段階と；を含む画像処理装置の制御方法が提供される。
【００１５】
また、使用者によって選択された印刷モードが入力される段階と；入力された印刷モードが自動設定モードである場合に、印刷対象データの属性を確認する段階と；印刷対象データの属性に応じて、白黒機能モードまたはカラー機能モードのうちのいずれか一つに対応するメニューを生成して表示する段階と；表示されたメニューに対応して印刷対象データを処理する段階と；をさらに含むようにしてもよい。
【００１６】
また、入力された印刷モードが白黒機能モードまたはカラー機能モードのうちのいずれか一つである場合に、選択されたモードに対応するメニューを生成して表示する段階と；表示されたメニューに対応して印刷対象データを処理する段階と；をさらに含むようにしてもよい。
【００１７】
また、認証情報が入力される段階と；入力された認証情報と、予め格納された認証情報とを比較する段階と；入力された認証情報が予め格納された認証情報と一致する場合、入力された印刷モードに対応するメニューを生成して表示する段階と；表示されたメニューに対応して印刷対象データを処理する段階と；をさらに含むようにしてもよい。
【発明の効果】
【００１８】
以上説明したように本発明によれば、一つのプリンタドライバによって、使用者が必要とするモードの機能に対応して印刷データを処理することが可能となる。
【発明を実施するための最良の形態】
【００１９】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００２０】
以下、添付図面を参照して、本発明の一実施形態に係る画像処理装置について詳しく説明する。
【００２１】
図２に示すように、本発明による画像処理装置１００は、画像処理部１１０、表示部１２０およびこれらを制御する制御部１３０を含む。
【００２２】
画像処理部１１０は、入力部１５０を通じて入力された印刷対象ファイルをプリンタのような画像形成装置（図示せず）に対応する形態に変換する画像処理を行って印刷データを生成する。画像処理部１１０は、後述する制御部１３０の制御によって画像形成装置の特性に対応するプリンター言語、例えばＰＣＬまたはＰＣ（Ｐｏｓｔ  Ｓｃｒｉｐｔ）のようなプリンター言語を用いて画像処理を行うことができる。
【００２３】
表示部１２０は、後述する制御部１３０によって生成されたメニューを表示する。表示部１２０はモニタなどで実現できる。
【００２４】
一方、本実施形態に係る画像処理装置１００は、使用者選択部１４０をさらに含むことができる。使用者選択部１４０は、印刷に関する使用者からの指示の入力を受けて、これを制御部１３０に伝達する。特に、使用者選択部１４０は、印刷対象ファイルに対する印刷条件についての入力を受ける。使用者選択部１４０は、キーボード、マウスなどで実現できる。
【００２５】
制御部１３０は、画像処理装置１００を全般的に制御する。制御部１３０は、使用者の指示による印刷処理が実行されるように通信部（図示せず）、画像処理部１１０等を状況に合わせて適切に制御する。特に、制御部１３０は、使用者選択部１４０を通じて入力された使用者の指示によって、所定の印刷対象ファイルに対して印刷条件の設定に関するメニューを表示部１２０に表示する。制御部１３０は、使用者の指示によってメニューを利用した印刷条件の設定を行う。制御部１３０は、印刷条件の設定が完了すると、当該印刷対象ファイルに対応するアプリケーションプログラムを実行して、設定された印刷条件によって画像処理が行われるように画像処理部１１０を制御する。
【００２６】
また、制御部１３０は、印刷対象ファイルに対する印刷命令および印刷条件の設定のためのメニューを生成する。本実施形態のメニューは、複数の上位項目を有する上位メニューと、複数の上位項目にそれぞれ対応する複数の下位メニューとを含む。制御部１３０は、オペレーティングシステムの機能によって実現できる。
【００２７】
本実施形態に係る制御部１３０は、印刷対象の属性によってカラー機能モードまたは白黒機能モードのうちのいずれか一つのインタフェース画面を生成して表示させることができる。印刷対象の属性には、解像度及び特定のコマンドを含むことができる。また、画像処理装置と通信するプリンタのような画像形成装置が支援するエミュレーション（Ｅｍｕｌａｔｉｏｎ）を含むことができる。
【００２８】
制御部１３０は、予め設定されたインターフェース画面において、カラー機能モードと白黒機能モードとを含むメニューの項目のうち、設定されたモード以外の他のモードに対応する機能に関する項目を非活性化させて表示することができる。
【００２９】
例えば、印刷対象の属性がカラー機能モードであることが確認された場合、制御部１３０は、メニューの項目のうち白黒機能モードに対応する項目を非活性化させたり、隠し処理して表示させることができる。この時、制御部１３０は、印刷対象の属性によってカラー機能モードに対応するメニューを生成して表示部１２０に表示させることができる。
【００３０】
一方、印刷対象の属性が白黒機能モードであることが確認された場合、制御部１３０は、メニューの項目のうちカラー機能モードに対応する項目を非活性化させたり、隠し処理して表示させることができる。あるいは、白黒機能モードに対応するメニューを生成して表示部１２０に表示させるようにしてもよい。
【００３１】
制御部１３０は、表示されたメニューに対応するモードで印刷対象を処理するように画像処理部１１０を制御する。この時、画像処理部１１０は、選択されたモードによってレンダリングを行った後、ハーフトーン処理を行うことができる。
【００３２】
一方、制御部１３０は、図３に示すように、使用者が直接カラー機能モードまたは白黒機能モードを選択できるインターフェース画面を生成して表示部１２０に表示するようにしてもよい。
【００３３】
使用者選択部１４０を通じて、使用者によって自動設定モード、カラー機能モードまたは白黒機能モードのドライバ設定が選択されると、制御部１３０は、選択されたモードに対応するメニューを生成して表示し、印刷対象を処理するように画像処理部１１０を制御する。
【００３４】
ここで、自動設定モードが選択された場合、制御部１３０は、上述したように、印刷対象の属性によってカラー機能モードと白黒機能モードを選択することができる。
【００３５】
一方、使用者によって白黒機能モードまたはカラー機能モードが選択された場合、制御部１３０は、選択されたモードに対応するメニューを生成して表示部１２０に表示させ、表示されたメニューに対応して印刷対象を処理するように画像処理部１１０を制御する。
【００３６】
また、本実施形態に係る画像処理装置１００は、使用者の認証情報が格納された記憶部１６０をさらに含むことができる。
【００３７】
この時、使用者は、記憶部１６０にパスワードを含む認証情報を保存することができる。
【００３８】
例えば、ホストとクライアントとで構成されるネットワークシステムの場合、ホスト画像処理装置の制御部１３０は、使用者選択部１４０を通じて自動設定モードが選択され、認証情報が入力されると、これを記憶部１６０に格納し、クライアント画像処理装置を選択されたモードに設定する。
【００３９】
ここで、クライアント画像処理装置の制御部１３０は、使用者によってモード選択が入力される場合に、認証情報が入力されなかったり、入力された認証情報が記憶部１６０に格納された認証情報と一致しない場合、選択されたモードに変更しないようにすることができる。
【００４０】
以下、図４及び図５を参照して、本実施形態に係る画像処理装置の動作を詳しく説明する。図４及び図５は、本実施形態に係る画像処理装置の制御フローチャートである。
【００４１】
まず、画像処理装置１００が自動設定モードに設定された場合、制御部１３０は、印刷対象の属性を確認する（Ｓ１）。ここで、印刷対象がカラー機能モードなのか確認し（Ｓ３）、カラー機能モードであればそれに対応するメニューを生成して表示部１２０に表示させる（Ｓ５）。この時、制御部１３０は、カラー機能モードと白黒機能モードとを全て含むメニューを生成し、カラー機能モードに該当せず白黒機能モードに該当するメニューを非活性化したり隠し処理して表示してもよい。また、予め設定されたカラー機能モードに対応するメニューを生成して表示してもよい。
【００４２】
一方、カラー機能モードでない場合、白黒機能モードに対応するメニューを生成して表示させる（Ｓ７）。
【００４３】
この時、制御部１３０は、表示されたメニューに対応して、使用者が選択したメニュー上の機能に基づいて印刷対象を処理するように画像処理部１１０を制御する（Ｓ９）。
【００４４】
ここで、図５に示すように、本発明の一実施形態において、使用者によってインタフェース画面を通じてモードが選択されると（Ｓ１１）、自動設定モードなのか確認（Ｓ１３）する。自動設定モードである場合には印刷対象の属性を確認し（Ｓ１５）、カラー機能モードの場合（Ｓ１７）にはカラー機能モードに対応するメニューを生成して表示部１２０に表示させ（Ｓ１９）、カラー機能モードでない場合には白黒機能モードに対応するメニューを生成して表示部１２０に表示させる（Ｓ２１）。
【００４５】
その後、制御部１３０は、表示されたメニューに対応して印刷対象を処理するように画像処理部１１０を制御する（Ｓ２３）。
【００４６】
一方、制御部１３０は、使用者によってモードが選択され認証情報が入力されて記憶部１６０に格納されている場合、モードが変更されて選択されても、入力される認証情報が記憶部１６０に格納された認証情報と一致する場合にのみモードが変更されるようにすることができる。
【００４７】
これにより、使用権限を有していない使用者が画像処理装置１００のプリンタードライバモードを変更することができないように制限することができる。
【００４８】
以上説明したように本発明によれば、一つのプリンタドライバを用いて、カラー機能モードドライバと白黒機能モードドライバとで支援する全ての機能に対するメニューを選択的に活性化または非活性化（隠し処理）可能に生成し、印刷対象のプリンター特性に合うようにカラー機能、白黒機能印刷を自動的に選択することができる。これにより、使用者の利便性が向上し、プリンタドライバの保守にかかる費用の低減、モード選択時のヒューマンエラーの減少、ＷＨＱＬ（Ｗｉｎｄｏｗｓ  Ｈａｒｄｗａｒｅ  Ｑｕａｌｉｆｉｃａｔｉｏｎ  Ｌａｂ）費用の低減、ＣＤ原価の低減などの効果が得られる。
【００４９】
以上、添付図面を参照しながら本発明の好適な実施形態について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【図面の簡単な説明】
【００５０】
【図１ａ】従来のモードによるユーザーインターフェース画面を示した図面である。
【図１ｂ】従来のモードによるユーザーインターフェース画面を示した図面である。
【図２】本発明の一実施形態に係る画像処理装置の制御ブロック図である。
【図３】本発明の一実施形態に係るメニューを示した図面である。
【図４】本発明の一実施形態に係る画像処理装置の制御フローチャートである。
【図５】本発明の一実施形態に係る画像処理装置の制御フローチャートである。
【符号の説明】
【００５１】
１００    画像処理装置
１１０    画像処理部
１２０    表示部
１３０    制御部
１４０    使用者選択部
１５０    入力部
１６０    記憶部
【図２】
2008152753.tif 000003
【図４】
2008152753.tif 000004
【図５】
2008152753.tif 000005
【図１ａ】
2008152753.tif 000006
【図１ｂ】
2008152753.tif 000007
【図３】
2008152753.tif 000008